(57)【要約】 【課題】オリジナルアートの芸術性を備えかつ低廉で、従来にない芸術的付加価値を備えたアートの複製方法を提供すること、さらに新たな芸術性を備えた複製芸術品を提供すること、また芸術的付加価値を備えたサンドアートの複製芸術品の販売方法を提供する。【解決手段】オリジナルアートを基に芸術的付加価値を付与したアートの複製方法であって、オリジナルアートの作者又は前記作者に複製、品質管理の資格与えられた許諾者、或いは前記作者又は許諾者の指導により、前記オリジナルアートの複製芸術品の複製工程を行うとともに、前記作者又は許諾者が前記複製芸術品の品質保証をすることを特徴とする芸術的付加価値を備えたアートの複製方法の構成とした。【選択図】図１
2013136191.tif 000002
【特許請求の範囲】
【請求項１】
基台に複数の色のパウダーサンドを配置、固定化して描いたオリジナルサンドアートを写真撮影する撮影工程と、
撮影した写真を現像又は印刷して前記オリジナルサンドアートの平面的な１次複製物を作製する１次複製工程と、
前記サンドアートの１次複製物上にオリジナルサンドアートと同様の色彩配置で芸術的付加価値であるパウダーサンドを配置、固定化するトレース工程と、
からなり、前記オリジナルサンドアートを基に芸術的付加価値を付与した複製芸術品を作製することを特徴とするサンドアートの複製方法。
【請求項２】
前記トレース工程は、少なくともオリジナルサンドアートの陰影が強い部分に施すことを特徴とする請求項１に記載のサンドアートの複製方法。
【請求項３】
前記トレース工程のパウダーサンドを、前記オリジナルサンドアートのパウダーサンドに共に或いは前記オリジナルサンドアートのパウダーサンドに代えて、天然宝石、人工宝石、宝石イミテーションの内１種以上を使用することを特徴とする請求項１又は請求項２に記載のサンドアートの複製方法。
【請求項４】
前記トレース工程の後に、さらに、前記パウダーサンドの脱落を防止する被覆剤を塗布するコーティング工程を設けることを特徴とする請求項１〜請求項３の何れか１項に記載のサンドアートの複製方法。
【請求項５】
前記トレース工程のパウダーサンド又はその固定剤或いは前記被覆剤にオリジナルサンドアートに関連する芳香剤を混合し、もしくは芳香を放出する芳香放出材を前記複製芸術品の背面に配置する芳香放出手段を備えることを特徴とする請求項１〜請求項４の何れか１項に記載のサンドアートの複製方法。
【請求項６】
オリジナルアートを基に芸術的付加価値を付与したアートの複製方法であって、オリジナルアートの作者又は前記作者に複製、品質管理の資格与えられた許諾者、或いは前記作者又は許諾者の指導により、前記オリジナルアートの複製芸術品の複製工程を行うとともに、前記作者又は許諾者が前記複製芸術品の品質保証をすることを特徴とする芸術的付加価値を備えたアートの複製方法。
【請求項７】
前記オリジナルアートの画像をネット上に公開するとともに、購入者が選択する、請求項６に記載の芸術的付加価値を備えたアートの複製方法で作製される複製芸術品の拡縮規格、芸術的付加価値の種類及び価格、芸術的付加価値の使用量、前記複製芸術品を収納するフレームの形状及び価格、のオプション設定の内すくなくともいずれか一つを表示することを特徴とする芸術的付加価値を備えた複製芸術品の販売方法。
【請求項８】
前記オリジナルアートの画像を表示するオリジナルサイトと、複製芸術品受注サイトが別々に存在し、前記オリジナルサイトと前記複製芸術品受注サイトとが相互リンクできる表示を設定したことを特徴とする請求項７に記載の芸術的付加価値を備えた複製芸術品の販売方法。
【請求項９】
芸術的付加価値を備える複製芸術品を収納するフレームと、前記フレーム内部に収納され前記芸術的付加価値を備える複製芸術品の表面と前記フレームとの間に配置される透明のカバーと、前記芸術的付加価値を備える複製芸術品の背面と前記フレームとの間に配置される芳香放出材と、からなることを特徴とする置物。
【請求項１０】
前記芸術的付加価値を備える複製芸術品及び透明カバーに穴を穿設したことを特徴とする
請求項９に記載の置物。
【請求項１１】
前記フレームの側面にスロットを設け、前記スロットから前記芸術的付加価値を備える複製芸術品及び芳香放出材の出し入れすることを特徴とする請求項９又は請求項１０に記載の置物。
【発明の詳細な説明】
【技術分野】
【０００１】
本発明は、芸術的付加価値を備えたアートの複製方法及びその複製芸術品の販売方法に関する。例えば、サンドアートの複製方法、販売方法などが例示できる。芸術的付加価値とは、使用するパウダーサンドの種類及びそれらの配置などである。
【背景技術】
【０００２】
従来から芸術家のオリジナル作品（絵画、写真、彫刻など）を、模写、写真撮影などの画一的な方法により複製することが行われている。その制作数を限定したり、ナンバーを付したりしても、それらはあくまでもオリジナル作品のコピーに過ぎない。
【０００３】
例えば、サンドアート、特許文献１、２などを複製するには、写真か、模倣による複製しかなかった。そして、写真による複製では立体感がなく、模倣によるものであれば、手間を要する上、コストが高いものだった。さらに、いずれの複製品であってもオリジナル作家の芸術性を満足するものではなく、オリジナルのサンドアートの芸術性を備え、さらに芸術的付加価値が付与されたサンドアートの複製芸術品は、流通していないのが現状である。
【０００４】
従って、そのようなサンドアートの複製芸術品、さらには芸術的付加価値を付与されたアートの複製品のインターネット販売も行われていない。他方、絵画のインターネット販売としては例えば、特許文献３〜５の技術が公開されている。それらは単なる複製品の販売等に過ぎない。
【０００５】
また、特許文献６には、視覚的に優れ、芳香剤容器とは意識されない芳香剤容器が開示されている。即ち、特許文献６に記載の発明は、額縁形状の本体１１の前面には絵画１２がセットされ、本体１１には、芳香剤を内蔵した芳香剤カセット１３が収納、取り外し可能である。そして、絵画１２は、他の絵画、複製画、書、写真、イラスト等に交換可能であり、利用者は好みの絵画等、あるいはインテリアに調和した絵画等を自由に選択し、本体１１の前面にセットすることができるというものである。しかしながら、本体１１にセットされるものは、単なる絵画、単なる複製品で、オリジナルアートの芸術性を備えた複製芸術品ではない。
【先行技術文献】
【特許文献】
【０００６】
【特許文献１】特開２０１１−１３６５１６号公報
【特許文献２】特開２０１１−２２４８６８号公報
【特許文献３】特開２００５−１１５８８１号公報
【特許文献４】特開２００２−７３８６２号公報
【特許文献５】特開２０１１−１０１１９１号公報
【特許文献６】特開１９９７−８４８６３号公報
【発明の概要】
【発明が解決しようとする課題】
【０００７】
そこで、本発明は、オリジナルアートの芸術性を備えかつ低廉で、従来にない芸術的付加価値を備えたアートの複製方法を提供すること、さらに新たな芸術性を備えた複製芸術品を提供すること、また芸術的付加価値サンドアートの複製芸術品の販売方法を提供することを目的とする。
【課題を解決するための手段】
【０００８】
発明者等は、上記課題を解決するために、
（１）
基台に複数の色のパウダーサンドを配置、固定化して描いたオリジナルサンドアートを写真撮影する撮影工程と、撮影した写真を現像又は印刷して前記オリジナルサンドアートの平面的な１次複製物を作製する１次複製工程と、前記サンドアートの１次複製物上にオリジナルサンドアートと同様の色彩配置で芸術的付加価値であるパウダーサンドを配置、固定化するトレース工程と、からなり、前記オリジナルサンドアートを基に芸術的付加価値を付与した複製芸術品を作製することを特徴とするサンドアートの複製方法の構成とした。
（２）
前記トレース工程は、少なくともオリジナルサンドアートの陰影が強い部分に施すことを特徴とする（１）に記載のサンドアートの複製方法の構成とした。
（３）
前記トレース工程のパウダーサンドを、前記オリジナルサンドアートのパウダーサンドに共に或いは前記オリジナルサンドアートのパウダーサンドに代えて、天然宝石、人工宝石、宝石イミテーションの内１種以上を使用することを特徴とする（１）又は（２）に記載のサンドアートの複製方法の構成とした。
（４）
前記トレース工程の後に、さらに、前記パウダーサンドの脱落を防止する被覆剤を塗布するコーティング工程を設けることを特徴とする（１）〜（３）の何れかに記載のサンドアートの複製方法の構成とした。
（５）
前記トレース工程のパウダーサンド又はその固定剤或いは前記被覆剤にオリジナルサンドアートに関連する芳香剤を混合し、もしくは芳香を放出する芳香放出材を前記複製芸術品の背面に配置する芳香放出手段を備えることを特徴とする（１）〜（４）の何れかに記載のサンドアートの複製方法の構成とした。
（６）
オリジナルアートを基に芸術的付加価値を付与したアートの複製方法であって、オリジナルアートの作者又は前記作者に複製、品質管理の資格与えられた許諾者、或いは前記作者又は許諾者の指導により、前記オリジナルアートの複製芸術品の複製工程を行うとともに、前記作者又は許諾者が前記複製芸術品の品質保証をすることを特徴とする芸術的付加価値を備えたアートの複製方法の構成とした。
（７）
前記オリジナルアートの画像をネット上に公開するとともに、購入者が選択する、（６）に記載の芸術的付加価値を備えたアートの複製方法で作製される複製芸術品の拡縮規格、芸術的付加価値の種類及び価格、芸術的付加価値の使用量、前記複製芸術品を収納するフレームの形状及び価格、のオプション設定の内すくなくともいずれか一つを表示することを特徴とする芸術的付加価値を備えた複製芸術品の販売方法の構成とした。
（８）
前記オリジナルアートの画像を表示するオリジナルサイトと、複製芸術品受注サイトが別々に存在し、前記オリジナルサイトと前記複製芸術品受注サイトとが相互リンクできる表示を設定したことを特徴とする（７）に記載の芸術的付加価値を備えた複製芸術品の販売方法の構成とした。
（９）
芸術的付加価値を備える複製芸術品を収納するフレームと、前記フレーム内部に収納され前記芸術的付加価値を備える複製芸術品の表面と前記フレームとの間に配置される透明のカバーと、前記芸術的付加価値を備える複製芸術品の背面と前記フレームとの間に配置される芳香放出材と、からなることを特徴とする置物の構成とした。
（１０）
前記芸術的付加価値を備える複製芸術品及び透明カバーに穴を穿設したことを特徴とする
（９）に記載の置物の構成とした。
（１１）
前記フレームの側面にスロットを設け、前記スロットから前記芸術的付加価値を備える複製芸術品及び芳香放出材の出し入れすることを特徴とする（９）又は（１０）に記載の置物の構成とした。
【発明の効果】
【０００９】
本発明であるサンドアートの複製方法では、オリジナルのサンドアートを写真撮影し、単にプリントアウトした１次複製物でなく、トレース工程を備えることで、オリジナルサンドアートと同様の立体的効果などの芸術性を備えた芸術的付加価値を付与したサンドアートの複製芸術品を低廉かつ製作時間が短期間で提供することができる。よって、オリジナルサンドアート同様のサンドアートを大量生産することが可能になる
【００１０】
トレース工程で、複製芸術品の購入者の要望によりオプション（パウダーサンドの種類、宝石など）を追加することができ、またトレース作業者の芸術性が付加（新たな絵画、文字など含む）された新たな芸術性ある複製芸術品であって、作者又は作者から指導資格を与えられた許諾者による監修、品質保証を備えることで、購入者に満足感を与えることができる。
【００１１】
また、オリジナルアートの複製芸術品であっても、元の芸術性を維持、もしくは新たな芸術性を備え、かつ品質も保証され、購入者は廉価に芸術作品が購入でき、広く社会に貢献することになる。
【００１２】
複製芸術品のインターネット販売においては、例えばサンドアートの場合では、オリジナルサンドアートサイトと、その複製芸術品受注サイトが相互リンクすれば、オリジナルサンドアートと複製芸術品の値段及び価値が比較でき、複製芸術品の購入の参考になる。そして、インターネットの注文画面を見て、購入者が複製芸術品のグレードを選択して、新たな芸術性を備えたサンドアート（複製芸術品）を購入することができるので、購入者は自分の好みに合ったグレードのものを、好みの購入予算で購入できる。
【００１３】
インターネット上には、サンドアートの芸術家（作者）、もしくはその指導資格を受けた許諾者によるオリジナルサンドアートの表示がされ、又は相当サイトに導かれることにより、購入者は、新たな複製芸術品とオリジナルサンドアートとの関係が分かり、購入にあたって、信頼性、利便性が得られる。
【図面の簡単な説明】
【００１４】
【図１】オリジナルサンドアートから複製芸術品を作製する複製フローである。
【図２】オリジナルサンドアートの写真（１次複製品）である。
【図３】サンドアートの写真にパウダーサンドを配置、固定したトレース品の写真である。
【図４】図３のパウダーサンドの配置位置の一例を点線で図示したものである。
【図５】図３のトレース物ニスを塗布したサンドアートの複製芸術品の写真である。
【図６】１月の花のサンドパウダーアートの一例である。
【図７】２月の花のサンドパウダーアートの一例である。
【図８】３月の花のサンドパウダーアートの一例である。
【図９】４月の花のサンドパウダーアートの一例である。
【図１０】５月の花のサンドパウダーアートの一例である。
【図１１】６月の花のサンドパウダーアートの一例である。
【図１２】７月の花のサンドパウダーアートの一例である。
【図１３】８月の花のサンドパウダーアートの一例である。
【図１４】９月の花のサンドパウダーアートの一例である。
【図１５】１０月の花のサンドパウダーアートの一例である。
【図１６】１１月の花のサンドパウダーアートの一例である。
【図１７】１２月の花のサンドパウダーアートの一例である。
【図１８】サンドアートの複製芸術品の販売方法システムの構成図である。
【図１９】サンドアートの複製芸術品の販売システムの機器の内部構造を示す図である。
【図２０】作者オリジナルサンドアートの画像画面表示の一例である。
【図２１】複製芸術品の注文画面表示の一例である。
【図２２】芳香付与手段の別の形態の斜視図である。
【発明を実施するための形態】
【００１５】
以下、本発明について、図面を参照しながら詳細に説明する。
【実施例１】
【００１６】
図１に、本発明であるサンドアートの複製方法の複製フローを示した。サンドアートの複製方法１０は、撮影工程１１と、１次複製工程１２と、トレース工程１３と、コーティング工程１４と、品質保証工程１５とからなり、オリジナルサンドアート１から従来にないサンドアートの複製芸術品４を作製する。各工程は、芸術家（作者）、もしくはその指導資格を受けた許諾者、さらにそれらか監修した品質計画書により品質保証される。
【００１７】
オリジナルサンドアート１は、著名な芸術家などの作者が、基台に複数の色のパウダーサンドを配置、固定化して立体性をもって描いたものである。そのようにして描かれたオリジナルサンドアート１は省略して図に示さないが、オリジナルサンドアート１の写真（１次複製物２）を図２に示す。また、オリジナルサンドアート１は、水彩、油絵、パステルによる絵画である場合や、ガラスやセラミックによるモザイク絵画である場合があるが、基本的に数種類のパウダーサンドにより、サンドアート作者が色調、彩色、凹凸を付け、全体としてパウダーサンドアートに仕上げる。オリジナルサンドアート１の一例を図６〜図１７に示した。
【００１８】
部分的に同じカラーのパウダーサンドは見切り用に配されたり、背景に、カラーごとのパウダーサンドがグループごとに配されたりする。これは、あくまで芸術家の自由な制作方法により、作られている。題材は、誕生花、記念の花、裸婦、自然物、建築物、山、山脈、富士山、その他著名な著作物などが採用できる。
【００１９】
基台は、アートボード、板、紙、発泡スチロールなど、従来からサンドアートに使用されるものである。
【００２０】
パウダーサンドは、従来からサンドアートに使用されている、実際の砂、工業用砥粒、建築用の砂、模型用の砂状の砥粒でよい。パウダーサンドのカラーは、砂の自然の色であったり、顔料で着色されたりする。
【００２１】
固定化には、ボンド等など固化して透明になる接着剤を使用する。写真撮影されたオリジナルの色調も残すためである。
【００２２】
撮影工程１１は、フィルムを用いるカメラを利用したアナログ撮影、デジタルカメラを利用したデジタル画像を保存する工程であり、複写機或いはスキャナーによる画像の取り込みする工程である。カメラによる撮影においては、作者又は作者から複製の許可を受けた許諾者、作者又は許諾者から指導を受けたものが行うことが望ましい。特に、陰影を強調した撮影方法、例えば、斜め４５°上方等から撮影する。
【００２３】
１次複製工程１２は、フィルムを用いた場合には現像してできた写真、デジタル画像として取得した場合、複写機及びスキャナーを使用した場合にはオリジナルサンドアート１の平面的な１次複製物を作製する工程である。このとき、デジタル加工及びその他加工、例えば、拡縮、トリミング、色調変更、他の絵画の追加などを作者、許諾者の許可ものもと、新たな芸術的処理を施すこともできる。これらは複製芸術品の販売価格に影響する。プリンタの性能、紙の種類にもよってもグレードが変化する。
【００２４】
トレース工程１３は、サンドアートの１次複製物上にオリジナルサンドアートと同様の色彩配置でパウダーサンドを配置、固定化する工程である。同様の色彩としたのは、サンドアートは、複数の色彩のパウダーサンドを多数使用するため、同一の色彩とする完全コピーは極めて困難であるからである。また、のオリジナルサンドアートと異なるサンドパウダーを使用することも許容しているためである。なお、パウダーサンドアート、固定化については上述の通りである。
【００２５】
トレース工程１３において、予め、作者もしくは複製の許可を受けた許諾者が、サンドアートの効果を熟慮検討、測定して、トレース手法を決定する。例えば、パウダーサンドの配置部分、使用量など、文書化され、実際に複製する作業者に工程管理文書もしくは、品質工程図として指示される。すべての制作に関する工程については、作者又は許諾者が管理する。
【００２６】
多くのサンドアートでは、領域毎に類似した色調で分布している。カラーリング（色調）は、その領域に、オリジナルサンドアート１のパウダーサンドの分布、使用料にしたがって、パウダーサンドを指で少しずつ、散布、落下させる。その程度は、芸術性の品質を確保するためにオリジナルサンドアート作者若しくは許諾者が直接作業するか、作業者に指示、管理する。カラーパウダーサンドの代表的購入先は藤井サンドである。
【００２７】
先ず、一つのカラーパウダーサンドを配する作業には、水で薄めた接着剤を配置する領域に、はけで塗布する。その接着剤の塗布量もパウダーサンドの散布量に合わせて塗布する。個々のカラーパウダーサンドをその接着剤の領域に散布する。パウダーサンドは、場合によって、少なく配置したり、厚く配置したりして、３次元的な形状を作り、オリジナルサンドアートの芸術性に相当するようにする。そして、複数のカラーパウダーサンドを同じ工程で行う。
【００２８】
このトレース工程１３において、作者、許諾者が作業者に指示した場合、工程管理文書にしたがって検査を受け、修正もしくは、廃棄される。合格した作品だけが次の工程に進む。接着剤の乾燥時間を十分とり、通常概ね３０分でよい、必要に応じて、パウダーサンドと接着剤を１次複製物２になじませるため、それらの上に紙を敷いて手のひらや指によって押さえつける。
【００２９】
コーティング工程１４は、１次複製物上のパウダーサンドの脱落を防止する被覆剤を塗布する工程である。被覆剤としては、ニス、ラッカー、アクリルなど、固化して透明な素材が採用できる。被覆剤は、刷毛で塗布しても、スプレーしてもよい。被覆剤が乾燥すると、パウダーサンドと１次複製物の一体感が得られ、簡単にパウダーサンドが脱落することがない。
【００３０】
品質保証工程１５は、作者又は許諾者の芸術性を備えるか、サンドアートの複製芸術品の購入を依頼した注文者の要望を備えるなど、作者又は許諾者が直接又は間接的に検査、監修する工程で、作者又は許諾者の検査を通過した作品がオリジナルのサンドアートの複製芸術品４として、新たな芸術性を備えて、市場に流通することとなる。なお、サンドアートの複製の各工程で都度の品質確認がされてもよい。
【００３１】
さらに、購入者がフレームを注文した場合には、そのフレームに複製芸術品４を収納し、購入者に発送される。
【００３２】
ここで、複製者（作業者）とは、オリジナルサンドアート作者、作者から複製許諾され作者の監修を受けて複製する者、作者から複製及び指導資格を与えられた許諾者、許諾者から複製許諾され許諾者の監修を受けて複製する者をいう。
【００３３】
複製芸術品４には、作者又は複製を許可された許諾者が複製芸術品４の品質保証としてのサイン、シリアル番号、バーコード、ＩＣチップなどを付する。これらの複製芸術品４の特定情報は、管理コンピュータシステムに保存される。また、複製芸術品４の画像データを管理コンピュータに取りこみ、複製芸術品４の特定情報とともに保存される。これら登録情報は、品質のトレーサビリティのために使用される。このように管理することで、模造品の流通を防止する。また、これら登録情報を公開することにより、贈答に使われた場合等において、贈答者及び受けた者双方がその複製芸術品４の価値を認識することができる。
【実施例２】
【００３４】
図２〜５に、図１０の５月の花（ａ）しゃくやくを例として、各工程の写真、模式図を示した。図２は、オリジナルサンドアート（しゃくやく）をデジタルカメラで撮影し、プリントアウトした１次複製物２である。
【００３５】
図３は、図２の１次複製物２上に、全面或いは部分的にボンドを塗布し、オリジナルサンドアートと同様の手法及び同様の色調で、パウダーサンドを配置して、固定化する（トレース工程１３）。
【００３６】
部分的に限定して、パウダーサンドを固定化する場所は、オリジナルサンドアート１において、花弁の中心であったり、特に陰影が強いところを複数箇所選択する。そのような配置部分３ａを図４に点線で示した。パウダーサンドの配置を部分的に限定した複製芸術品４であっても、立体感を備え、単なるオリジナルサンドアートのコピー複製物（１次複製物２）と異なる新たな芸術性が付加される。さらに、オリジナルサンドアートを模して全面にパウダーサンドを塗布するより、低廉でかつ短期間で、単なる複製物（１次複製物２）にないサンドアート本来の質感を備えた新たな芸術作品としての複製芸術品４を提供することができる。
【００３７】
１次複製物２に配置されるパウダーサンドは、オリジナルと同一のものでも構わないが、誕生石、人工宝石、イミテーションなど、異なるパウダーを選択し追加することも、粒径、使用量も変更することができる。その結果、複製芸術品４であっても新たな芸術性、付加価値が備えられたものになる。
【００３８】
コスト、色調によるが、主にはオリジナルサンドアートの作製時に使用された砂が基本である。複製芸術品４の面積大きさが１００ｍｍ×１５０ｍｍの大きさが目安である。それに対する使用するカラーパウダーサンドはそれぞれのカラーについて、１グラムから２グラムである。面積が大きくなればその面積に対応して増加させる。その強度は作者もしくは許諾者が検討する。厚みも増やすのであれば厚み分も増加させればいい。砂は、各種メッシュ指示でいいし、既製品の砂を購入してもよい。
【００３９】
また更なる芸術性、付加価値を備えるため、パウダーサンドに芳香剤を加えること、パウダーサンド固定剤或いはその被覆剤に芳香剤を混合することができる。さらにその他芳香放出手段を備えることができる。芳香は、バラ・きんもくせい・びゃくだん・沈香等が例示できるが、これらに限定されるものではない。さらに複数の芳香をブレンドすることもできる。
【００４０】
他の芳香放出手段を図２２に示すような置物８を例に説明する。置物８は、芸術的付加価値を備える複製芸術品４と、複製芸術品４を収納するフレーム５と、フレーム５内部に収納され複製芸術品４の表面とフレーム５の縁との間に配置される透明のカバー６と、複製芸術品４の背面とフレーム５との間に配置される芳香放出材７と、からなる。なお、複製芸術品４に代えて、絵画、絵画の複製品であってもよい。
【００４１】
芳香放出材７は、芳香を浸透、保持、放出する素材で、例えば、板状もしくは棒状の紙、和紙、不織布、ＰＶＦ多孔体スポンジ、多孔質材などが例示できる。芳香は、居住環境、季節に依り保つ期間は異なる。交換時期は、季節、芳香剤の残量に合わせる。
【００４２】
透明カバー６はプラスチック製、ガラス製で、芳香が過度に拡散しないためのものである。さらに、透明カバー６には適度の芳香拡散量になるように、芸術複製品４、透明カバーにキリ、ドリル、パンチ等で穴４ａ（内部グレーの点線円）、６ａ（内部グレーの実線円）を穿設する。
【００４３】
さらに、詳しくは、フレーム５の側面にスロット５ａを設け、スロット５ａから複製芸術品４及び芳香放出材７を出し入れする。芳香が弱くなりそれらを交換する場合に容易に抜き差しできるようになる。
【００４４】
より具体的には、透明のプラスチックカバーに数か所細かい芳香の拡散量を調整する穴６ａをあける（キリ使用）、また複製芸術品４に数か所細かい穴４ａをあける（同じキリ使用）。芳香剤（液体）を芳香放出材７である和紙に染み込ませる。和紙を日光のあたらない場所で半日乾かす。フレーム５にセットし裏蓋を閉めて完成する。なお、裏蓋は必須ではない。
【実施例３】
【００４５】
以下、サンドアートの複製芸術品４のインターネット上における受注、販売方法を説明する。図１８は、サンドアートのオリジナル作者２４のサイトと、複製者２３のサイトを別とした例である。勿論、同一サイトにオリジナルサンドアートの内容、複製芸術品注文サイトを併設してもよい。
【００４６】
図１８に示す本発明であるサンドアート複製芸術品販売システム２０は、少なくとも１台のサーバ２２と、複製者端末２３ａと、作者端末２４ａと、購入者端末２５ａより構成され、それぞれがインターネット２１を介して接続される。
【００４７】
インターネット２１は、サーバ２２を中心として機器間で通信を行うためのコンピュータネットワークである。各機器は設置場所が離れているので、無線のデータ通信を行うこともできる。
【００４８】
サーバ２２は、サンドアートの複製芸術品の販売システム２０のプログラムやデータが置かれるサーバコンピュータである。サーバ２２に接続してきた他の機器の要求に対して処理を行い、当該機器に結果を送り返す。
【００４９】
作者端末２４ａは、オリジナルサンドアート１の作者２４が、オリジナルサンドアート１の画像データ１ａ、及びその関連情報（図２０等）をサーバ２２に送信するためのコンピュータである。また、複製者２３に複製許可をするための処理もすることができる。
【００５０】
また、作者端末２４ａ（ＣＰＵ）は、画像データ１ａの陰影の強弱を数値化し、データベース上の配置基準にしたがって、パウダーサンドの配置位置を計算し、表示し、品質工程図として複製者端末２３ａに送信することもできる。パウダーサンドの配置位置は、陰影の強い箇所から優先順位付け、パウダーサンドの種類、使用量などに基づく購入者の希望の金額に一致するよう、振り分ける。パウダーサンドの配置位置の表示は、ディスプレイ上表示或いはプリンタからプリントアウトして、別途メール、ＦＡＸ、郵便などにより送信してもよい。その際、オリジナルアートの作者による、配置位置の修正、変更を許容する。
【００５１】
複製者端末２３ａは、サーバ２２をホストコンピュータとする端末機器である。主に、オリジナル作者２４から複製許諾２４ｂを得た複製者２３が注文画面に記載の情報（図２１等）をサーバ２２に送信、注文の受注通信に使用するためのコンピュータである。
【００５２】
購入者端末２５ａは、サーバ２２に接続し、複製芸術品４の購入者２５がサンドアートの複製芸術品４を注文するために注文サイト（図２１等）に注文内容を入力し、注文依頼するための端末である。
【００５３】
注文依頼の後、複製者２３によって、複製芸術品４が完成すると、複製者２３から複製芸術品４が購入者２５に送られて、販売が完了する。
【００５４】
図１９は、サンドアートの複製芸術品の販売システム２０の機器の内部構造を示す図である。サーバ２２、作者端末２４ａは、複製者端末２３ａ、購入者端末２５ａは、一般的なコンピュータ、携帯用のインターネット通信器機などを利用することができる。
【００５５】
ＣＰＵ（中央処理装置）は、サーバ２２の中枢となる装置であり、命令の解釈と実行の制御を行う。記憶装置のデータを演算したり、記憶装置やインタフェース等の制御を行う。例えば、陰影の強弱をエリア毎に数値化し、優先的にパウダーサンド量の指定に沿って、１次複製物２にパウダーサンドを配置する部分を計算、指定することもできる。
【００５６】
サーバ２２の記憶装置は、サーバ２２の必要なデータを蓄えておく装置であり、ＬＳＩ等を用いた主記憶装置と、磁気ディスク等を用いた補助記憶装置とがある。尚、光ディスク等の記録媒体も、補助記憶装置に含むものとする。
【００５７】
主記憶装置は、主に作業領域として使用され、補助記憶装置は、主に保存領域として使用される。プログラムやデータベース２２ａ等は、補助記憶装置に保存され、必要に応じて主記憶装置に読み込まれる。
【００５８】
サーバ２２のインタフェースは、機器間のデータのやり取りを仲介する装置で、入出力装置を含むものである。外部のデータを記憶装置へ入力したり、記憶装置のデータを外部へ出力したりする。
【００５９】
外部のデータは、機器間でインターネット２１を介して双方向にやり取りが行われるが、通信手段として、ウェブ、電子メール、ＲＳＳ又は電子掲示板などの技術を利用することができる。
【００６０】
複製者端末２３ａの入出力装置は、サーバ２２に処理実行の指示を出す入力装置と、サーバ２２からの処理結果を表示する出力装置とからなる。入力装置は、キーボードやマウス等が該当し、出力装置は、モニタやプリンタ等が該当する。作成端末２４ａ、購入者端末２５ａも同様である。
【００６１】
図２０は、作者端末２４ａからサーバ２２に送られ、データベース２２ａに蓄積されたオリジナルサンドアート１の画像データ１ａ及び関連情報の一例のディスプレイ表示（作者サイト表示）である。
【００６２】
作者サイト表示には、少なくともオリジナルサンドアート１の画像データ１ａ、販売価格、サイズ（縦横実寸）、使用されたパウダーサンドの仕様（種類、使用量など）を表示する。さらに、複製サイトへのリンク２６を設けることが望ましい。これら情報は、複製芸術品４の購入の参考、値段の比較など、になる。日本語だけでなく、英語など外国語でも表され、絵画での販売も可能とする。
【００６３】
図２１は、複製者端末２３ａからサーバ２２に送られ、データベース２２ａに蓄積された複製芸術品４の仕様決定、見積、注文発注画面（注文サイト）の一例である。
【００６４】
注文サイトには、少なくとも、オリジナルサンドアート１を特定するためのコードなど、オリジナルサンドアート１からの拡縮倍率の入力欄２９（白抜き長方形）、見積書依頼ボタン（見積）、複製芸術品４の注文依頼ボタン（注文）を設ける。オリジナルサンドアート或いはそのコードを特定するためオリジナルサンドアートサンプルページへのリンク２８を設けるとよい。
【００６５】
必要に応じて、複製芸術品４を収納するフレーム５を特定するためのコードなど、パウダーの使用量（％など）の入力欄２９、パウダーサンドオプションのチェック欄３１（グレー正方形）、芳香オプションのチェック欄３１、オリジナル展示サイトへのリンク２７を設ける。
【００６６】
パウダーサンドオプション欄には、オリジナルサンドアートと同一のパウダーサンドを使用することを意味する「オリジナル同一」、追加するパウダーサンド欄である、ダイヤ、人工ダイヤ、イミテーションなどの項目及び使用量（総カラット）、その他粒径などの入力欄を設けることもできる。さらに、図示していないが、複製者グレードを選択するチェック欄３１を設けてもよい。複製者グレードとは、オリジナル作者、許諾者、それぞれから複製許可を受けた複製者などである。
【００６７】
見積をクリックすると、見積情報が購入者端末２５ａからサーバ２２に送信され、サーバ２２がデータベース２２ａに蓄積された原料価格等を基に、販売価格を計算し、購入者端末２５ａに返送する。すると購入者端末２５ａは、ディスプレイに見積額として表示する。
【００６８】
複製条件、金額を確認した購入者２５は注文サイトの注文ボタンをクリックすることで、購入者端末２５ａから注文情報がサーバ２２に送られる。サーバ２２は受けとった注文情報をデータベース２２ａに格納するとともに、複製者端末２３ａに注文情報を送信する。注文情報を受けた端末或いはデータベース２２ａに接続して注文情報を入手した複製者端末２３ａは注文情報をディスプレイ又は印刷装置に注文情報を出力する。
【００６９】
注文情報に基づき、複製者２３は、複製芸術品４を作成し、完成した複製芸術品４を購入に送り、購入者は購入費用を支払うことで、複製芸術品の販売が完了する。購入費用の支払いは、従来から用いられるオンライン決算、銀行振込等を用いればよい。
【符号の説明】
【００７０】
１      オリジナルサンドアート
１ａ    画像データ
２      １次複製物
３      トレース物
３ａ    配置部分
４      複製芸術品
４ａ    穴
５      フレーム
５ａ    スロット
６      透明カバー
６ａ    穴
７      芳香放出材
８      置物
１０    サンドアートの複製方法
１１    撮影工程
１２    １次複製工程
１３    トレース工程
１４    コーティング工程
１５    品質保証工程
２０    サンドアートの複製芸術品の販売システム
２１    インターネット
２２    サーバ
２２ａ  データベース
２３    複製者
２３ａ  複製者端末
２４    オリジナル作者
２４ａ  作者端末
２５    購入者
２５ａ  購入者端末
２６    複製サイトへのリンク
２７    オリジナル展示サイトへのリンク
２８    オリジナルサンドアートサンプルページへのリンク
２９    入力欄
３０    フレームサンプルへのリンク
３１    チェック欄
【図１】
2013136191.tif 000003
【図４】
2013136191.tif 000004
【図１８】
2013136191.tif 000005
【図１９】
2013136191.tif 000006
【図２０】
2013136191.tif 000007
【図２１】
2013136191.tif 000008
【図２２】
2013136191.tif 000009
【図２】
2013136191.tif 000010
【図３】
2013136191.tif 000011
【図５】
2013136191.tif 000012
【図６】
2013136191.tif 000013
【図７】
2013136191.tif 000014
【図８】
2013136191.tif 000015
【図９】
2013136191.tif 000016
【図１０】
2013136191.tif 000017
【図１１】
2013136191.tif 000018
【図１２】
2013136191.tif 000019
【図１３】
2013136191.tif 000020
【図１４】
2013136191.tif 000021
【図１５】
2013136191.tif 000022
【図１６】
2013136191.tif 000023
【図１７】
2013136191.tif 000024